Podtech/llm-jp-corpus-v4-ja_patent huggingface dataset:
(57)【特許請求の範囲】
【請求項１】
人間の頭部から肩部まで、及び肩部から臀部までの寸法及び肩幅と臀部尻頂点間を計測し、また人間の一般的な、頭部、肩部、臀部、及びふくらはぎの形状を考慮し、特定個人の体のサイズや形状に合わせたベッドであって、さらに特定個人の頭部、肩部、臀部、及び両足のふくらはぎの形状に合致した受け部構造、あるいは該特定個人の各部位のうちの一部の形状に合致した受け部で構成することが可能なベッドであって、頭部、肩部、臀部、及びふくらはぎの各受け部が個別での高さ調整、あるいは各個別での交換が可能で、さらに該各受け部が超低反発の部材、あるいは柔らかい部材で構成されたベッドであって、排泄用の穴が開いており、背もたれを立てて座った状態で排泄が可能で、きんかくしを設定し、男性の小水での漏れ対策を付帯した、寝返りが不要な極楽ベッド。
【発明の詳細な説明】
【技術分野】
【０００１】
本発明は、ベッドに仰向けに寝たときに、個人の体型形状に合わせた構造で受け、体全体を分散して支えるようにし、また衝撃吸収ハニカム構造ジェルクッション等の超低反発の部材で受け、床ずれが生じるような体の一部に負担がかかるようなことがないようにし、寝返りをする必要がないベッドの技術に関するものである。
【背景技術】
【０００２】
ベッドの表面を柔らかくしすぎると、体が沈み込んで熟睡しづらくなり、またベッド表面が固いと、体重を集中して受ける臀部等が痛くなり、頻繁に寝返りしなければならず、熟睡がしづらくなる。
【先行技術文献】
【特許文献】
【０００３】
【特許文献１】特開２０１９−０２２６９５
【発明の概要】
【発明が解決しようとする課題】
【０００４】
一般的なベッドは、長時間同じ姿勢で寝ていると、体重を支えるがために下になった体の一部が痛くなり、寝ている間に（無意識に）頻繁な寝返りを必要とし、熟睡ができにくい。また、寝返りをするためのスペースを要し、ベッド幅が大きめになる。
【課題を解決するための手段】
【０００５】
人がベッドに仰向けに寝たときに、体の形状に合わせた構造で、かつ衝撃吸収ハニカム構造ジェルクッション等の超低反発の部材で受け、体重を支えるために、下になった体の一部が痛くなることがなく、寝返りをせずに熟睡できるベッドを提供する。
【発明の効果】
【０００６】
体の疲労が蓄積されたとき  大の字になって寝るのが一番疲労回復には適しており、寝返りする必要がなく、従来のベッドよりも熟睡できる。特に高齢になって、寝返りができなくなると床ずれができやすくなるが、その心配がなくなる。また、ベッド上で寝返りする必要がないがために、ベッドをコンパクトにできるため、背もたれ部を起こした状態で、そのまま車いすとして使用可能である。
すなわち、熟睡ベッド、疲れない椅子、車いす、そしてマイラクリーントイレ（商標登録）と組み合わせれば、おむつ交換が不要で、臭いの発生がなく、清潔な介護ベッドとしても使用できる、いわば一台四役となる。
【図面の簡単な説明】
【０００７】
【図１】本発明の概要を示す。
【発明を実施するための形態】
【０００８】
仰向けに大の字に寝たときに、人間の体重は主に頭部、肩の周り、臀部、そしてふくらはぎで受けるため、それらの各サイズや各形状に沿った構造で、かつ超低反発の部材や柔らかい部材で受け、体の一部に負担がかからないようにする。
【０００９】
図1は人１が仰向けに大の字に寝ている状態で、上半身は主に背もたれ２で受け、下半身は主に座部６と足おき部７とで受けている。
上から順に、頭部は頭部保持部３、胸部は背中保持部４、臀部は臀部保持部５、そして足部は、ふくらはぎ保持部１２にて、各部ともに個人の体の形状に沿った構造物で受けるが、人種、年齢、男女差でほぼ形状が一定しているので、肩幅の寸法A、
肩上部〜頭部中心の寸法B、肩上部〜臀部中心の寸法C、臀部尻頂点間寸法Dが分かれば、汎用の型を３Dプリンターや射出成型等で作ることができる。また、全体の大きさを考慮した、背もたれ２、座部６，足置き部７の寸法設定をすることができる。
また、高級タイプとなるが、個人の個々の体型形状を裸画像や実際に裸の状態でスキャンしたデーターに基づき、３Dプリンターで各受け部の構造を決定し、製作することも可能である。
尚、人１の各受け部の超低反発の部材であるが、３Dプリンターや射出成型で、材料をそのまま使用して製作してもいいし、成形しやすい別材料で作り、超低反発の部材や柔らかい部材を貼り付けてもよい。
頭部保持部３、背中保持部４、臀部保持部５、そしてふくらはぎ保持部７は、それぞれ、高さ調整や位置の微調整が可能で、実際人１が使ってみて、一番楽な状態を調整できるようにする。
座部６のセンターには、排泄用穴９を用意し、その周辺はすり鉢状のすりばち８を設定し、排泄時に漏れ出た小水等を水で流しやすいようにする。また、きんかくし１０を設定し、男性が勃起状態で小水を出したとしても、外に漏れ出ないようにするとともに、
人１の足元側から、のぞいた時のプライバシーが守られるようにする。
寝返りを要さず、全体として小型になり、空気タイヤ１１を設定すれば、背もたれ２を起こして、車いすとしても使用でき、マイラクリーントイレ（商標登録）や多目的トイレ等の便座の真上まで運ぶことで、座ったままで排泄し、水洗で汚物を流すことができる。すなわち、排泄用の穴８の下に、おまるやバケツ等を用意して、おぶつを回収してもいいし、マイラクリーントイレや多目的トイレを用意して、その上で排泄することができ、おむつ交換を排除できる。
【産業上の利用可能性】
【００１０】
寝返りが不要で、熟睡が可能な小型ベッド兼リクライニング椅子として、そして座り心地の良い車いすとして、体の不自由な高齢者や障害者のみならず、世界中の一般の老若男女にとっても生活の必需品となる可能性がある。
【符号の説明】
【００１１】
1.人
2.背もたれ
3.頭部保持部
4.背中保持部
5.臀部保持部
6.座部
7.足置き部
8.すりばち
9.排泄用穴
10.きんかくし
11.空気タイヤ
12.ふくらはぎ保持部
A.肩幅の寸法
B.肩上部〜頭部中心の寸法
C.肩上部〜臀部中心の寸法
D.臀部尻頂点間寸法
【要約】      （修正有）【課題】寝返りをせずに熟睡できるベッドを提供する。【解決手段】人１がベッドに仰向けに寝たときに、体の形状に合わせた構造で、かつ衝撃吸収ハニカム構造ジェルクッション等の超低反発の部材で受け、体重を支えるために、下になった体の一部が痛くなることがなく、寝返りをせずに熟睡できる。【選択図】図１【図１】
0006882812.tif 000002
(57)【特許請求の範囲】
【請求項１】
剪定鋏を収納する楕円形の筒型の金属、炭素繊維又はプラスチックよりなる非変形素材の上部に突起を設け、前記突起の下部の前記素材に切込みを設け、収納された剪定鋏の把手の下部を前記切込みで支え、前記把手の上部を前記突起で押さえてなる剪定鋏ケース。
【請求項２】
素材に反りを設けたことを特徴とする請求項１の剪定鋏ケース。
【発明の詳細な説明】
【技術分野】
【０００１】  本発明は、１個の剪定鋏ケースで数種類の剪定鋏を取り替えて使用できる構造を実現した。
【背景技術】
【０００２】  本発明は、従来の剪定鋏ケースにおける素材の柔らかさや柔軟性、弾力性を利用するという技術的な発想を転換し、全く真逆の金属や炭素繊維、プラスチックなどの非変形素材の強固さを生かして、加工部分の変形や経年による摩耗を最小限に防ぎ、多種多様な剪定鋏（植木鋏、剪定鋏、芽切鋏等）を収納できるようにしたものである。【０００３】  従来の剪定鋏ケースは、素材の柔らかさや柔軟性、弾力性を利用したものが主流で、濡れに弱く寿命が短いのが欠点でもあった。
【先行技術文献】
【特許文献】
【０００４】
【特許文献１】特開２０１７−１２４１３０
【特許文献２】特開２０１５−１６０３０７
【発明の概要】
【発明が解決しようとする課題】
【０００５】  従来は、剪定鋏の種類毎に剪定鋏ケースを必要としたが、作業効率の向上を図る観点から、腰のベルト等に垂下した剪定鋏ケースを作業毎にいちいち取替えずにすむように１個の剪定鋏ケースで数種類の剪定鋏（植木鋏、剪定鋏、芽切鋏等）が収納できるものが求められていた。【０００６】  また、従来の革製剪定鋏ケースは、雨などに濡れると堅くなったり破れたりして耐久性に問題があった。
【課題を解決するための手段】
【０００７】  本発明は、楕円形の筒（１）型の素材に切込（２）を入れることにより多種多様な剪定鋏（植木鋏、剪定鋏、芽切鋏等）を収容し、剪定作業中に腰のベルトなどに垂下した剪定鋏ケースから剪定鋏が抜け落ちないように突起（３）で剪定鋏の把手（８）及び（９）を押さえ、反り（４）を設けることにより剪定鋏（植木鋏、剪定鋏、芽切鋏等）の収納と取出しがスムーズにできるようにしている。【０００８】  切込（２）と突起（３）を設けたことにより１個の剪定鋏ケースで数種類の剪定鋏（植木鋏、剪定鋏、芽切鋏等）を収納することができる。【０００９】  また、本発明による剪定鋏ケースは、背面側に例えば角度１０度前後の反り（４）を設けることで取り出しの際の引っ掛かりを無くし、スムーズに収納及び取り出しができる。【００１０】  本発明による剪定鋏ケースは、雨などの濡れに強い金属、炭素繊維又はプラスチックなどの軽くて強固な非変形素材を用いるとともに、革製の剪定鋏ケースなどで普通となっている縫い合わせや部材の組込み、接着などの複雑な部分を無くして、１本の楕円形パイプに切込み、突起、反りを設けただけで構造を極限まで単純化し耐久性を大きく向上させ寿命を伸ばすことができる。【００１１】  本発明による剪定鋏ケースは、剪定鋏の収納口と底部（７）の径を同じ大きさとして筒抜けにすれば剪定ゴミ等が溜まるのを防止できる。
【発明の効果】
【００１２】  腰のベルト等に垂下した剪定鋏ケースを作業中にいちいちベルトから外して取替えなくても１個の剪定鋏ケースで複数の種類の剪定鋏（植木鋏、剪定鋏、芽切鋏等）を収納できるため作業効率を上げることができる。【００１３】  本発明による剪定鋏ケースは、濡れにも強く耐久性が大きく向上するためコストの低減に貢献できる。【００１４】  更に本発明の剪定鋏ケースは、濡れに強いため鋏と一緒に殺菌・洗浄を行うことができるほか剪定鋏ケースに付いた雑菌やウイルスを洗い落とすことができる。
【図面の簡単な説明】
【００１５】
【図１】  本発明に係る剪定鋏ケースの側面図である。
【図２】  本発明に係る剪定鋏ケースの正面図である。
【図３】  本発明に係る剪定鋏ケースの底面図である。
【図４】  本発明に係る剪定鋏ケースに植木鋏を収納した一例を示す正面図である。
【図５】  本発明に係る剪定鋏ケースに剪定鋏を収納した一例を示す正面図である。
【発明を実施するための形態】
【００１６】  図１、２に示すようにアルミニウム素材の楕円形の筒（１）よりなるケースに切込み（２）、突起（３）が形成されている。剪定鋏ケースの反り（４）は、剪定鋏（植木鋏、剪定鋏、芽切鋏等）の収納及び取り出しがスムーズに行えるように適度な角度（例えば１０度前後）をつけ、且つ腰のベルト等に垂下した剪定鋏（植木鋏、剪定鋏、芽切鋏等）が作業中に剪定鋏ケースからから抜け落ちないように切込（２）と突起（３）を微妙に調整して適度な切込みの深さ並びに突起の高さ及び角度としている。
【００１７】  図４に示すように剪定鋏ケースの切込み（２）で植木鋏の把手（８）を両側から支えてがたつきを止め、突起（３）で把手（８）を押さえて抜け落ちを防止している。
【００１８】  図５で示すように剪定鋏のバネ（１０）の弾力性により把手（９）が外側に開く力を利用して切込み（２）で把手（９）を両側から支えてがたつきを止め、突起（３）で把手（９）を押さえて抜け落ちを防止している。
【００１９】  図１，２に示す吊下げ用金具取付け穴（５）、（６）は、剪定鋏ケース（１）を腰に垂下するために必要な吊下げ用金具を取付けるための金具を取付ける穴であるが、吊下げ用金具をリベットなどで剪定鋏ケース（１）に直接取付けることも可能である。
【符号の説明】
【００２０】１  楕円形の筒
２  切込
３  突起
４  反り
５  吊下げ用金具取付け用の穴
６  吊下げ用金具取付け用の穴
７  底部
８  把手
９  把手
１０  バネ
【要約】
【課題】１個の剪定鋏ケースで数種類の剪定鋏（植木鋏、剪定鋏、芽切鋏等）を収納でき、作業中に腰に垂下した剪定鋏ケースから剪定鋏が抜け落ちるのを防止するとともに雨などの濡れに強い金属又は炭素繊維及びプラスチック素材を用いて構造を極限まで単純化したことにより耐久性を大きく向上させた剪定鋏ケースを提供する。
【解決手段】濡れに強く軽量で強固な金属、炭素繊維及びプラスチックなどを用いた楕円形の筒（１）型の素材に切込（２）を設けることで多種多様な剪定鋏を収納することができる。突起（３）により、腰に垂下した剪定鋏ケースから作業中に剪定鋏の抜け落ちを防止することができる。反り（４）を設けることによりスムーズに剪定鋏の収納及び取り出しができる。底部（７）を剪定鋏収納口と同じ大きさの筒抜けにすることで剪定ゴミなどが底に溜まらないようにしている。
【選択図】図１【図１】
0006883181.tif 000002
【図２】
0006883181.tif 000003
【図３】
0006883181.tif 000004
【図４】
0006883181.tif 000005
【図５】
0006883181.tif 000006